(57)【要約】    【課題】構造物としての剛性がきわめて高い軸組構造の提供。    【解決手段】この軸組構造１０では、補強金具１４、補強金具１５及び補強金具１６が土台１１、１２及び柱１３に取り付けられている。クロスメンバ１７、クロスメンバ１８及びクロスメンバ１９が、それぞれ、補強金具１４〜１６に設けられている。補強金具１４は、クロスメンバ１７と共にボルト２６によって固定されている。このボルト２６は、第１貫通孔（２８ａ、２８ｃ、２９ａ、２９ｃ）に挿通されている。補強金具１５は、クロスメンバ１８と共にボルト２６によって固定されている。このボルト２６は、第２貫通孔（２９ｂ、２９ｄ）及び第１貫通孔（３３ａ、３３ｃ）に挿通されている。補強金具１６は、クロスメンバ１９と共にボルト２６によって固定されている。このボルト２６は、第２貫通孔（３６ｂ、３６ｄ、３７ｂ、３７ｄ）に挿通されている。【選択図】図１
2005350999.tif 000002
【特許請求の範囲】
【請求項１】
仮想原点を中心にして互いに直交する仮想Ｘ軸、仮想Ｙ軸及び仮想Ｚ軸に沿ってそれぞれ配置された断面矩形のＸ軸部材、断面矩形のＹ軸部材及び断面矩形のＺ軸部材と、
Ｘ軸部材の一の面及び当該一の面に隣り合って連続するＹ軸部材の一の面に取り付けられた第１Ｌ字状補強部材と、
Ｙ軸部材の一の面と直交する他の面及び当該他の面に隣り合って連続するＺ軸部材の一の面に取り付けられた第２Ｌ字状補強部材と、
Ｚ軸部材の一の面と直交する他の面及び当該他の面に隣り合って連続するＸ軸部材の一の面と直交する他の面に取り付けられた第３Ｌ字状補強部材とを有し、
第１Ｌ字状補強部材は、仮想原点から近距離の位置に設定された第１締結位置においてＸ軸部材及びＹ軸部材に対して当該Ｘ軸部材及びＹ軸部材を貫通する締結ボルトによって固定されており、
第２Ｌ字状補強部材は、仮想原点から遠距離の位置に設定された第２締結位置においてＹ軸部材及びＺ軸部材に対して当該Ｙ軸部材及びＺ軸部材を貫通する締結ボルトによって固定されており、
第３Ｌ字状補強部材は、仮想原点から近距離の位置に設定された第１締結位置においてＺ軸部材に対して当該Ｚ軸部材を貫通する締結ボルトによって固定されると共に仮想原点から遠距離の位置に設定された第２締結位置においてＸ軸部材に対して当該Ｘ軸部材を貫通する締結ボルトによって固定されている軸組構造。
【請求項２】
仮想原点を中心にして互いに直交する仮想Ｘ軸、仮想Ｙ軸及び仮想Ｚ軸に沿ってそれぞれ配置された断面矩形のＸ軸部材、断面矩形のＹ軸部材及び断面矩形のＺ軸部材と、
Ｘ軸部材の一の面及び当該一の面に隣り合って連続するＹ軸部材の一の面に取り付けられた第１Ｌ字状補強部材と、
Ｙ軸部材の一の面と直交する他の面及び当該他の面に隣り合って連続するＺ軸部材の一の面に取り付けられた第２Ｌ字状補強部材と、
Ｚ軸部材の一の面と直交する他の面及び当該他の面に隣り合って連続するＸ軸部材の一の面と直交する他の面に取り付けられた第３Ｌ字状補強部材とを有し、
第１Ｌ字状補強部材は、仮想原点から近距離の位置に設定された第１締結位置においてＸ軸部材及びＹ軸部材に対して当該Ｘ軸部材及びＹ軸部材を貫通する締結ボルトによって固定されており、
第３Ｌ字状補強部材は、仮想原点から遠距離の位置に設定された第２締結位置においてＺ軸部材及びＸ軸部材に対して当該Ｚ軸部材及びＸ軸部材を貫通する締結ボルトによって固定されており、
第２Ｌ字状補強部材は、仮想原点から遠距離の位置に設定された第２締結位置においてＹ軸部材に対して当該Ｙ軸部材を貫通する締結ボルトによって固定されると共に仮想原点から近距離の位置に設定された第１締結位置においてＺ軸部材に対して当該Ｚ軸部材を貫通する締結ボルトによって固定されている軸組構造。
【請求項３】
上記Ｘ軸部材の一の面に対向する背面と上記Ｚ軸部材の一の面に対向する背面との間、上記Ｙ軸部材の一の面に対向する背面と上記Ｚ軸部材の他の面に対向する背面との間及び上記Ｘ軸部材の他の面に対向する背面と上記Ｙ軸部材の他の面に対向する背面との間のうち少なくともいずれかにＬ字状座部材が配置されており、
上記締結ボルトは、Ｌ字状座部材を介して締付ナットにより締め付けられている請求項１に記載の軸組構造。
【請求項４】
上記Ｘ軸部材の一の面に対向する背面と上記Ｚ軸部材の一の面に対向する背面との間、上記Ｙ軸部材の一の面に対向する背面と上記Ｚ軸部材の他の面に対向する背面との間及び上記Ｘ軸部材の他の面に対向する背面と上記Ｙ軸部材の他の面に対向する背面との間のうち少なくともいずれかにＬ字状座部材が配置されており、
上記締結ボルトは、Ｌ字状座部材を介して締付ナットにより締め付けられている請求項２に記載の軸組構造。
【請求項５】
上記第１Ｌ字状補強部材、第２Ｌ字状補強部材及び第３Ｌ字状補強部材は、同一形状に形成されている請求項１又は３に記載の軸組構造。
【請求項６】
上記第１Ｌ字状補強部材、第２Ｌ字状補強部材及び第３Ｌ字状補強部材は、同一形状に形成されている請求項２又は４に記載の軸組構造。
【請求項７】
上記第１Ｌ字状補強部材は、上記Ｘ軸部材の一の面に取り付けられる第１辺部及び上記Ｙ軸部材の一の面に取り付けられる第２辺部を有し、
上記第２Ｌ字状補強部材は、上記Ｙ軸部材の他の面に取り付けられる第１辺部及び上記Ｚ軸部材の一の面に取り付けられる第２辺部を有し、
上記第３Ｌ字状補強部材は、上記Ｚ軸部材の他の面に取り付けられる第１辺部及び上記Ｘ軸部材の他の面に取り付けられる第２辺部を有しており、
上記第１Ｌ字状補強部材の第１辺部と第２辺部との間に第１クロスメンバが架け渡され、
上記第２Ｌ字状補強部材の第１辺部と第２辺部との間に第２クロスメンバが架け渡され、
上記第３Ｌ字状補強部材の第１辺部と第２辺部との間に第３クロスメンバが架け渡されている請求項１、３又は５のいずれかに記載の軸組構造。
【請求項８】
上記第１Ｌ字状補強部材は、上記Ｘ軸部材の一の面に取り付けられる第１辺部及び上記Ｙ軸部材の一の面に取り付けられる第２辺部を有し、
上記第２Ｌ字状補強部材は、上記Ｙ軸部材の他の面に取り付けられる第１辺部及び上記Ｚ軸部材の一の面に取り付けられる第２辺部を有し、
上記第３Ｌ字状補強部材は、上記Ｚ軸部材の他の面に取り付けられる第１辺部及び上記Ｘ軸部材の他の面に取り付けられる第２辺部を有しており、
上記第１Ｌ字状補強部材の第１辺部と第２辺部との間に第１クロスメンバが架け渡され、
上記第２Ｌ字状補強部材の第１辺部と第２辺部との間に第２クロスメンバが架け渡され、
上記第３Ｌ字状補強部材の第１辺部と第２辺部との間に第３クロスメンバが架け渡されている請求項２、４又は６のいずれかに記載の軸組構造。
【請求項９】
上記第１クロスメンバは、上記Ｘ軸部材の第１締結位置及び第２締結位置並びに上記Ｙ軸部材の第１締結位置及び第２締結位置に配置される当接部を備え、
上記第２クロスメンバは、上記Ｙ軸部材の第１締結位置及び第２締結位置並びに上記Ｚ軸部材の第１締結位置及び第２締結位置に配置される当接部を備え、
上記第３クロスメンバは、上記Ｚ軸部材の第１締結位置及び第２締結位置並びに上記Ｘ軸部材の第１締結位置及び第２締結位置に配置される当接部を備えており、
当該各当接部は、上記締結ボルトによって上記第１Ｌ字状部材、第２Ｌ字状部材及び第３Ｌ字状部材と共に上記Ｘ軸部材、Ｙ軸部材及びＺ軸部材に締結固定されている請求項７に記載の軸組構造。
【請求項１０】
上記第１クロスメンバは、上記Ｘ軸部材の第１締結位置及び第２締結位置並びに上記Ｙ軸部材の第１締結位置及び第２締結位置に配置される当接部を備え、
上記第２クロスメンバは、上記Ｙ軸部材の第１締結位置及び第２締結位置並びに上記Ｚ軸部材の第１締結位置及び第２締結位置に配置される当接部を備え、
上記第３クロスメンバは、上記Ｚ軸部材の第１締結位置及び第２締結位置並びに上記Ｘ軸部材の第１締結位置及び第２締結位置に配置される当接部を備えており、
当該各当接部は、上記締結ボルトによって上記第１Ｌ字状部材、第２Ｌ字状部材及び第３Ｌ字状部材と共に上記Ｘ軸部材、Ｙ軸部材及びＺ軸部材に締結固定されている請求項８に記載の軸組構造。
【請求項１１】
上記第１クロスメンバ、第２クロスメンバ及び第３クロスメンバは、同一形状に形成されている請求項７又は９に記載の軸組構造。
【請求項１２】
上記第１クロスメンバ、第２クロスメンバ及び第３クロスメンバは、同一形状に形成されている請求項８又は１０に記載の軸組構造。
【発明の詳細な説明】
【技術分野】
【０００１】
本発明は、木造建築物の柱同士あるいは柱と梁等とが組み付けられた軸組の構造に関するものである。
【背景技術】
【０００２】
軸組とは、木造建築物の骨格を構成するものであり、土台、柱、梁等が組み付けられた構造物である。図６は、従来の一般的な軸組の要部を示す斜視図である。
【０００３】
同図が示すように、軸組１は、土台２及び柱３を含んでいる。土台２は、一般に基礎４の上に配置され、柱３は、土台２の上に配置される。柱３は、土台２に対して従来からさまざまな継構造により連結されている。柱３と土台２との連結部分５には、補強金具６が取り付けられることがある。この補強金具６は、略Ｌ字状に形成された平板部材であって、土台２と柱３とに架け渡されている。この補強金具６は、従来から釘７によって土台２及び柱３に固定されている。その他、従来の軸組の補強構造については、後述の特許文献１及び特許文献２等に記載されている。
【０００４】
【特許文献１】特開２００４−３１７７公報
【特許文献２】特開２００３−３３６３１８公報
【発明の開示】
【発明が解決しようとする課題】
【０００５】
従来の軸組構造では、前述のように補強金具が用いられることがあるが、この補強金具は一般に釘により固定されるものであるから、軸組の補強手段としては不十分であり、軸組の剛性を高く維持することは困難であった。そこで、本発明の目的は、構造物としての剛性がきわめて高い軸組構造を提供することである。
【課題を解決するための手段】
【０００６】
(1) 上記目的が達成されるため、本発明に係る軸組構造は、仮想原点を中心にして互いに直交する仮想Ｘ軸、仮想Ｙ軸及び仮想Ｚ軸に沿ってそれぞれ配置された断面矩形のＸ軸部材、断面矩形のＹ軸部材及び断面矩形のＺ軸部材を有する。Ｘ軸部材の一の面及び当該一の面に隣り合って連続するＹ軸部材の一の面に、第１Ｌ字状補強部材が取り付けられている。Ｙ軸部材の一の面と直交する他の面及び当該他の面に隣り合って連続するＺ軸部材の一の面に、第２Ｌ字状補強部材が取り付けられている。Ｚ軸部材の一の面と直交する他の面及び当該他の面に隣り合って連続するＸ軸部材の一の面と直交する他の面に、第３Ｌ字状補強部材が取り付けられている。
【０００７】
第１Ｌ字状補強部材は、仮想原点から近距離の位置に設定された第１締結位置においてＸ軸部材及びＹ軸部材に対して当該Ｘ軸部材及びＹ軸部材を貫通する締結ボルトによって固定されている。第２Ｌ字状補強部材は、仮想原点から遠距離の位置に設定された第２締結位置においてＹ軸部材及びＺ軸部材に対して当該Ｙ軸部材及びＺ軸部材を貫通する締結ボルトによって固定されている。第３Ｌ字状補強部材は、仮想原点から近距離の位置に設定された第１締結位置においてＺ軸部材に対して当該Ｚ軸部材を貫通する締結ボルトによって固定されると共に仮想原点から遠距離の位置に設定された第２締結位置においてＸ軸部材に対して当該Ｘ軸部材を貫通する締結ボルトによって固定されている。
【０００８】
(2) また、上記目的が達成されるため、本発明に係る軸組構造は、仮想原点を中心にして互いに直交する仮想Ｘ軸、仮想Ｙ軸及び仮想Ｚ軸に沿ってそれぞれ配置された断面矩形のＸ軸部材、断面矩形のＹ軸部材及び断面矩形のＺ軸部材を有する。Ｘ軸部材の一の面及び当該一の面に隣り合って連続するＹ軸部材の一の面に、第１Ｌ字状補強部材が取り付けられている。Ｙ軸部材の一の面と直交する他の面及び当該他の面に隣り合って連続するＺ軸部材の一の面に、第２Ｌ字状補強部材が取り付けられている。Ｚ軸部材の一の面と直交する他の面及び当該他の面に隣り合って連続するＸ軸部材の一の面と直交する他の面に、第３Ｌ字状補強部材が取り付けられている。
【０００９】
第１Ｌ字状補強部材は、仮想原点から近距離の位置に設定された第１締結位置においてＸ軸部材及びＹ軸部材に対して当該Ｘ軸部材及びＹ軸部材を貫通する締結ボルトによって固定されている。第３Ｌ字状補強部材は、仮想原点から遠距離の位置に設定された第２締結位置においてＺ軸部材及びＸ軸部材に対して当該Ｚ軸部材及びＸ軸部材を貫通する締結ボルトによって固定されている。第２Ｌ字状補強部材は、仮想原点から遠距離の位置に設定された第２締結位置においてＹ軸部材に対して当該Ｙ軸部材を貫通する締結ボルトによって固定されると共に仮想原点から近距離の位置に設定された第１締結位置においてＺ軸部材に対して当該Ｚ軸部材を貫通する締結ボルトによって固定されている。
【００１０】
この発明によれば、第１Ｌ字状補強部材、第２Ｌ字状補強部材及び第３Ｌ字状補強部材が協働することによってＸ軸部材、Ｙ軸部材及びＺ軸部材を補強する。しかも、これら第１Ｌ字状補強部材ないし第３Ｌ字状補強部材は、Ｘ軸部材、Ｙ軸部材及びＺ軸部材を貫通する締結ボルトによって強固にＸ軸部材、Ｙ軸部材及びＺ軸部材に締め付けられるから、互いに直交するＸ軸部材、Ｙ軸部材及びＺ軸部材は、十分な補強が施されることになる。
【００１１】
(3) 上記Ｘ軸部材の一の面に対向する背面と上記Ｚ軸部材の一の面に対向する背面との間、上記Ｙ軸部材の一の面に対向する背面と上記Ｚ軸部材の他の面に対向する背面との間及び上記Ｘ軸部材の他の面に対向する背面と上記Ｙ軸部材の他の面に対向する背面との間のうち少なくともいずれかにＬ字状座部材が配置されているのが好ましい。この場合、上記締結ボルトは、Ｌ字状座部材を介して締付ナットにより締め付けられる。この構成では、締付ナットが強固に締め付けられ得る。したがって、当該軸組構造における締結ボルト・締付ナット構造において、締付ナットの適正な締付トルクが維持される。
【００１２】
(4) 上記第１Ｌ字状補強部材、第２Ｌ字状補強部材及び第３Ｌ字状補強部材は、同一形状に形成されているのが好ましい。この構成では、当該軸組構造において第１Ｌ字状補強部材、第２Ｌ字状補強部材及び第３Ｌ字状補強部材が共通の部品として使用されるので、当該軸組構造がコスト安価に構成される。
【００１３】
(5) 上記第１Ｌ字状補強部材は、上記Ｘ軸部材の一の面に取り付けられる第１辺部及び上記Ｙ軸部材の一の面に取り付けられる第２辺部を有し、上記第２Ｌ字状補強部材は、上記Ｙ軸部材の他の面に取り付けられる第１辺部及び上記Ｚ軸部材の一の面に取り付けられる第２辺部を有し、上記第３Ｌ字状補強部材は、上記Ｚ軸部材の他の面に取り付けられる第１辺部及び上記Ｘ軸部材の他の面に取り付けられる第２辺部を有する構造であってもよい。上記第１Ｌ字状補強部材の第１辺部と第２辺部との間に第１クロスメンバが架け渡され、上記第２Ｌ字状補強部材の第１辺部と第２辺部との間に第２クロスメンバが架け渡され、上記第３Ｌ字状補強部材の第１辺部と第２辺部との間に第３クロスメンバが架け渡されているのが好ましい。この構成では、第１Ｌ字状部材ないし第３Ｌ字状部材が、それぞれ、第１クロスメンバないし第３クロスメンバによって補強される。したがって、互いに直交するＸ軸部材、Ｙ軸部材及びＺ軸部材は、一層確実な補強が施されることになる。
【００１４】
(6) 上記第１クロスメンバが、上記Ｘ軸部材の第１締結位置及び第２締結位置並びに上記Ｙ軸部材の第１締結位置及び第２締結位置に配置される当接部を備え、上記第２クロスメンバが、上記Ｙ軸部材の第１締結位置及び第２締結位置並びに上記Ｚ軸部材の第１締結位置及び第２締結位置に配置される当接部を備え、上記第３クロスメンバが、上記Ｚ軸部材の第１締結位置及び第２締結位置並びに上記Ｘ軸部材の第１締結位置及び第２締結位置に配置される当接部を備えているのが好ましい。当該各当接部は、上記締結ボルトによって上記第１Ｌ字状部材、第２Ｌ字状部材及び第３Ｌ字状部材と共に上記Ｘ軸部材、Ｙ軸部材及びＺ軸部材に締結固定される。この構成では、上記各当接部が上記第１締結位置及び第２締結位置の双方に配置されるから、第１クロスメンバないし第３クロスメンバは、上記第１締結位置及び第２締結位置のいずれにも固定され得る。したがって、第１クロスメンバないし第３クロスメンバは、上記第１締結位置又は第２締結位置に固定されるための専用の構造を備える必要がない。また、第１クロスメンバないし第３クロスメンバを固定する作業が容易になる。
【００１５】
(7) 上記第１クロスメンバ、第２クロスメンバ及び第３クロスメンバは、同一形状に形成されているのが好ましい。この構成では、当該軸組構造において第１クロスメンバ、第２クロスメンバ及び第３クロスメンバが共通の部品として使用されるので、当該軸組構造が一層コスト安価に構成される。
【発明の効果】
【００１６】
本発明では、互いに直交するＸ軸部材、Ｙ軸部材及びＺ軸部材が十分に補強されるので、軸組構造の剛性が向上する。その結果、当該軸組構造が例えば木造建築物に採用される場合には、当該建築物の構造物としての剛性が極めて高くなる。
【発明を実施するための最良の形態】
【００１７】
以下、適宜図面が参照されつつ、好ましい実施形態に基づいて本発明が詳細に説明される。
【００１８】
＜第１の実施形態＞
図１は、本発明の第１の実施形態に係る軸組構造を示す正面斜視図であり、図２は、背面斜視図である。この軸組構造は、例えば木造住宅用軸組に採用される。
【００１９】
図１及び図２が示すように、この軸組構造１０は、土台１１（Ｘ軸部材）と、土台１１に直交する土台１２（Ｙ軸部材）と、これら土台１１、１２に直交する柱１３（Ｚ軸部材）と、補強金具１４（第１Ｌ字状補強部材）、補強金具１５（第２Ｌ字状補強部材）及び補強金具１６（第３Ｌ字状補強部材）と、補強金具１４〜１６にそれぞれ設けられたクロスメンバ１７（第１クロスメンバ）、クロスメンバ１８（第２クロスメンバ）及びクロスメンバ１９（第３クロスメンバ）と、土台１１、１２及び柱１３の背面２０〜２３に取り付けられた座金２４、２５（Ｌ字状座部材）と、補強金具１４〜１６を土台１１、１２又は柱１３に固定するボルト２６（締結ボルト）及びナット２７（締付ナット）とを備えている。なお、図２では、簡略化のためにボルト２６及びナット２７の図示が一部省略されている。
【００２０】
土台１１、１２及び柱１３は、断面が矩形の木材からなる。前述のように、これら土台１１、１２と柱１３とは、互いに直交するように配置されている。具体的には、土台１１は、仮想Ｘ軸に沿って配置され、土台１２は、仮想Ｙ軸に沿って配置されている。また、柱１３は、仮想Ｚ軸に沿って配置されている。これら仮想Ｘ軸、仮想Ｙ軸及び仮想Ｚ軸は、仮想原点を起点として互いに直交している。仮想Ｘ軸から仮想Ｙ軸側へ右ねじが回されたときに当該右ねじが進む方向が仮想Ｚ軸である。
【００２１】
補強金具１４は、例えば鋼板から構成されており、Ｌ字状に屈曲形成されている。すなわち、補強金具１４は、第１辺部２８及びこれに直交して連続する第２辺部２９を備えている。補強金具１４は、土台１１と土台１２との間に架け渡すように取り付けられている。具体的には、上記第１辺部２８が土台１１の内面３０（Ｘ軸部材の一の面）に取り付けられ、上記第２辺部２９が土台１２の内面３１（Ｙ軸部材の一の面）に取り付けられている。この補強金具１４は、上記ボルト２６及びナット２７によって土台１１及び土台１２に締結固定されている。補強金具１４の締結構造については、後に詳述される。
【００２２】
補強金具１５は、補強金具１４と同一の構成であって、第１辺部３２及びこれに直交して連続する第２辺部３３を備えている。補強金具１５は、土台１２と柱１３との間に架け渡すように取り付けられている。具体的には、上記第１辺部３２が土台１２の上面３４（Ｙ軸部材の一の面と直交する他の面）に取り付けられ、上記第２辺部３３が柱１３の側面３５（Ｚ軸部材の一の面）に取り付けられている。この補強金具１５は、上記ボルト２６及びナット２７によって土台１２及び柱１３に締結固定されている。補強金具１５の締結構造については、後に詳述される。
【００２３】
補強金具１６は、補強金具１４及び補強金具１５と同一の構成であって、第１辺部３６及びこれに直交して連続する第２辺部３７を備えている。補強金具１６は、柱１３と土台１１との間に架け渡すように取り付けられている。具体的には、上記第１辺部３６が柱１３の側面３８（Ｚ軸部材の一の面と直交する他の面）に取り付けられ、上記第２辺部３７が土台１１の上面３９（Ｘ軸部材の一の面と直交する他の面）に取り付けられている。この補強金具１６は、上記ボルト２６及びナット２７によって柱１３及び土台１１に締結固定されている。補強金具１６の締結構造については、後に詳述される。
【００２４】
クロスメンバ１７は、例えば鋼板から構成されており、上記補強金具１４の第１辺部２８と第２辺部２９との間に架け渡されている。クロスメンバ１７は、上記第１辺部２８に当接される当接部４０と、上記第２辺部２９に当接される当接部４１と、両者を連結する斜骨４２とを備えている。斜骨４２は、当接部４０及び当接部４１に対して４５°（ｄｅｇｒｅｅ）の角度で配置されている。当接部４０と当接部４１とは同様の形状であり、それぞれ、土台１１及び土台１２の長手方向（仮想Ｘ軸方向、仮想Ｙ軸方向）に沿って延びている。当接部４０は、土台１１の第１締結位置及び第２締結位置の双方を覆っている。また、当接部４１は、土台１２の第１締結位置及び第２締結位置の双方を覆っている。この「第１締結位置」及び「第２締結位置」とは、上記仮想原点を起点とした上記ボルト２６及びナット２７が配置される位置を表す。これら「第１締結位置」及び「第２締結位置」については、後に詳述される。
【００２５】
クロスメンバ１８は、クロスメンバ１７と同様の構成であって、上記補強金具１５の第１辺部３２と第２辺部３３との間に架け渡されている。クロスメンバ１８は、上記第１辺部３２に当接される当接部４３と、上記第２辺部３３に当接される当接部４４と、両者を連結する斜骨４５とを備えている。斜骨４５は、当接部４３及び当接部４４に対して４５°（ｄｅｇｒｅｅ）の角度で配置されている。当接部４３と当接部４４とは同様の形状であり、それぞれ、土台１２及び柱１３の長手方向（仮想Ｙ軸方向、仮想Ｚ軸方向）に沿って延びている。当接部４３は、土台１２の第１締結位置及び第２締結位置の双方を覆っている。また、当接部４４は、柱１３の第１締結位置及び第２締結位置の双方を覆っている。
【００２６】
クロスメンバ１９は、クロスメンバ１７及びクロスメンバ１８と同様の構成であって、上記補強金具１６の第１辺部３６と第２辺部３７との間に架け渡されている。クロスメンバ１９は、上記第１辺部３６に当接される当接部４６と、上記第２辺部３７に当接される当接部４７と、両者を連結する斜骨４８とを備えている。斜骨４８は、当接部４６及び当接部４７に対して４５°（ｄｅｇｒｅｅ）の角度で配置されている。当接部４６と当接部４７とは同様の形状であり、それぞれ、柱１３及び土台１１の長手方向（仮想Ｚ軸方向、仮想Ｘ軸方向）に沿って延びている。当接部４６は、柱１３の第１締結位置及び第２締結位置の双方を覆っている。また、当接部４７は、土台１１の第１締結位置及び第２締結位置の双方を覆っている。
【００２７】
図２が示すように、座金２４は、Ｌ字状に形成されている。座金２４は、例えば鋼板から構成され、土台１１の背面２０及び柱１３の背面２２に当接されている。この土台１１の背面２０は、土台１１の上記内面３０と背中合わせの状態で対向する面であり、柱１３の背面２２は、柱１３の上記側面３５と背中合わせの状態で対向する面である。また、座金２５も鋼板から構成され、座金２５は、座金２４と同様にＬ字状に形成されている。座金２５は、土台１２の背面２１及び柱１３の背面２３に当接されている。この土台１２の背面２１は、土台１２の上記内面３１と背中合わせの状態で対向する面であり、柱１３の背面２３は、柱１３の上記側面３８と背中合わせの状態で対向する面である。
【００２８】
補強金具１４は、クロスメンバ１７と共に土台１１及び土台１２に締結固定されている。具体的には、補強金具１４の第１辺部２８及びクロスメンバ１７の当接部４０が２本のボルト２６及びナット２７によって土台１１に締結され、補強金具１４の第２辺部２９及びクロスメンバ１７の当接部４１が２本のボルト２６及びナット２７によって土台１２に締結されている。
【００２９】
上記第１辺部２８には、長手方向（仮想Ｘ軸方向）に沿って４つの貫通孔が所定のピッチで並設されている。また、上記当接部４０には、これらの貫通孔と同ピッチで４つの貫通孔が並設されている。さらに、土台１１にも、上記各貫通孔と同ピッチで４つの貫通孔が並設されている。つまり、土台１１には、仮想Ｙ軸方向に沿って貫通する貫通孔が仮想Ｘ軸方向に沿って４つ並設されている。したがって、上記当接部４０、第１辺部２８及び土台１１を貫通する貫通孔２８ａ〜２８ｄが上記所定ピッチで並んでいることになる。なお、図１では、貫通孔２８ａ及び貫通孔２８ｃは、図示されていない。
【００３０】
一方、上記第２辺部２９には、長手方向（仮想Ｙ軸方向）に沿って４つの貫通孔が上記所定のピッチで並設されている。また、上記当接部４１には、これらの貫通孔と同ピッチで４つの貫通孔が並設されている。さらに、土台１２にも、上記貫通孔と同ピッチで４つの貫通孔が並設されている。つまり、土台１２には、仮想Ｘ軸方向に沿って貫通する貫通孔が仮想Ｙ軸方向に沿って４つ並設されている。したがって、上記当接部４１、第２辺部２２及び土台１２を貫通する貫通孔２９ａ〜２９ｄが上記所定ピッチで並んでいることになる。なお、図１では、貫通孔２９ａ及び貫通孔２９ｃは、図示されていない。
【００３１】
補強金具１５は、クロスメンバ１８と共に土台１２及び柱１３に締結固定されている。具体的には、補強金具１５の第１辺部３２及びクロスメンバ１８の当接部４３が２本のボルト２６及びナット２７によって土台１２に締結され、補強金具１５の第２辺部３３及びクロスメンバ１８の当接部４４が２本のボルト２６及びナット２７によって柱１３に締結されている。
【００３２】
上記第１辺部３２には、長手方向（仮想Ｙ軸方向）に沿って４つの貫通孔が上記所定のピッチで並設されている。また、上記当接部４３には、これらの貫通孔と同ピッチで４つの貫通孔が並設されている。さらに、土台１２にも、上記各貫通孔と同ピッチで４つの貫通孔が並設されている。つまり、土台１２には、仮想Ｚ軸方向に沿って貫通する貫通孔が仮想Ｙ軸方向に沿って４つ並設されている。したがって、上記当接部４３、第１辺部３２及び土台１２を貫通する貫通孔３２ａ〜３２ｄが上記所定ピッチで並んでいることになる。なお、図１では、貫通孔３２ｂ及び貫通孔３２ｄは、図示されていない。
【００３３】
一方、上記第２辺部３３には、長手方向（仮想Ｚ軸方向）に沿って４つの貫通孔が上記所定のピッチで並設されている。また、上記当接部４４には、これらの貫通孔と同ピッチで４つの貫通孔が並設されている。さらに、柱１３にも、上記貫通孔と同ピッチで４つの貫通孔が並設されている。つまり、柱１３には、仮想Ｙ軸方向に沿って貫通する貫通孔が仮想Ｚ軸方向に沿って４つ並設されている。したがって、上記当接部４４、第２辺部３３及び柱１３を貫通する貫通孔３３ａ〜３３ｄが上記所定ピッチで並んでいることになる。なお、図１では、貫通孔３２ａ及び貫通孔３３ｃは、図示されていない。
【００３４】
補強金具１６は、クロスメンバ１９と共に柱１３及び土台１１に締結固定されている。具体的には、補強金具１６の第１辺部３６及びクロスメンバ１９の当接部４６が２本のボルト２６及びナット２７によって柱１３に締結され、補強金具１６の第２辺部３７及びクロスメンバ１９の当接部４７が２本のボルト２６及びナット２７によって土台１１に締結されている。
【００３５】
上記第１辺部３６には、長手方向（仮想Ｚ軸方向）に沿って４つの貫通孔が上記所定のピッチで並設されている。また、上記当接部４６には、これらの貫通孔と同ピッチで４つの貫通孔が並設されている。さらに、柱１３にも、上記貫通孔と同ピッチで４つの貫通孔が並設されている。つまり、柱１３には、仮想Ｘ軸方向に沿って貫通する貫通孔が仮想Ｚ軸方向に沿って４つ並設されている。したがって、上記当接部４６、第１辺部３６及び柱１３を貫通する貫通孔３６ａ〜３６ｄが上記所定ピッチで並んでいることになる。なお、図１では、貫通孔３６ｂは、図示されていない。
【００３６】
一方、上記第２辺部３７には、長手方向（仮想Ｘ軸方向）に沿って４つの貫通孔が上記所定のピッチで並設されている。また、上記当接部４７には、これらの貫通孔と同ピッチで４つの貫通孔が並設されている。さらに、土台１１にも、上記貫通孔と同ピッチで４つの貫通孔が並設されている。つまり、土台１１には、仮想Ｚ軸方向に沿って貫通する貫通孔が仮想Ｘ軸方向に沿って４つ並設されている。したがって、上記当接部４７、第２辺部３７及び土台１１を貫通する貫通孔３７ａ〜３７ｄが上記所定ピッチで並んでいることになる。なお、図１では、貫通孔３２ｂ及び貫通孔３２ｄは、図示されていない。
【００３７】
ここで、前述の貫通孔２８ａ〜２８ｄ、貫通孔２９ａ〜２９ｄ、貫通孔３２ａ〜３２ｄ、貫通孔３３ａ〜３３ｄ、貫通孔３６ａ〜３６ｄ及び貫通孔３７ａ〜３７ｄは、それぞれ、上記仮想原点に対して近距離の位置にあるものから順に、第１貫通孔（２８ａ、２９ａ、３２ａ、３３ａ、３６ａ、３７ａ）、第２貫通孔（２８ｂ、２９ｂ、３２ｂ、３３ｂ、３６ｂ、３７ｂ）、第３貫通孔（２８ｃ、２９ｃ、３２ｃ、３３ｃ、３６ｃ、３７ｃ）及び第４貫通孔（２８ｄ、２９ｄ、３２ｄ、３３ｄ、３６ｄ、３７ｄ）と称される。
【００３８】
図１が示すように、補強金具１４の第１辺部２８及びクロスメンバ１７の当接部４０は、これらに設けられた第１貫通孔（２８ａ）及び第３貫通孔（２８ｃ）にボルト２６が挿通されることによって固定されている。この第１貫通孔（２８ａ）及び第３貫通孔（２８ｃ）の位置の組合わせが前述の「第１締結位置」と定義される。つまり、この第１貫通孔（２８ａ）及び第３貫通孔（２８ｃ）に挿通されるボルト２６の位置が、上記第１締結位置である。同様に、補強金具１４の第２辺部２９及びクロスメンバ１７の当接部４１は、これらに設けられた第１貫通孔（２９ａ）及び第３貫通孔（２９ｃ）にボルト２６が挿通されることによって固定されている。したがって、この第１貫通孔（２９ａ）及び第３貫通孔（２９ｃ）に挿通されるボルト２６の位置が、上記第１締結位置である。
【００３９】
また、補強金具１５の第１辺部３２及びクロスメンバ１８の当接部４３は、これらに設けられた第２貫通孔（３２ｂ）及び第４貫通孔（３２ｄ）にボルト２６が挿通されることによって固定されている。この第２貫通孔（３２ｂ）及び第４貫通孔（３２ｄ）の位置の組合わせが前述の「第２締結位置」と定義される。つまり、この第２貫通孔（３２ｂ）及び第４貫通孔（３２ｄ）に挿通されるボルト２６の位置が、上記第２締結位置である。一方、補強金具１５の第２辺部３３及びクロスメンバ１８の当接部４４は、これらに設けられた第１貫通孔（３３ａ）及び第３貫通孔（３３ｃ）にボルト２６が挿通されることによって固定されている。したがって、この第１貫通孔（３３ａ）及び第３貫通孔（３３ｃ）に挿通されるボルト２６の位置が、上記第１締結位置である。
【００４０】
さらに、補強金具１６の第１辺部３６及びクロスメンバ１９の当接部４６は、これらに設けられた第２貫通孔（３６ｂ）及び第４貫通孔３６ｄにボルト２６が挿通されることによって固定されている。この第２貫通孔（３６ｂ）及び第４貫通孔３６ｄの位置の組合わせが前述の「第２締結位置」と定義される。つまり、この第２貫通孔（３６ｂ）及び第４貫通孔３６ｄに挿通されるボルト２６の位置が、上記第２締結位置である。同様に、補強金具１６の第２辺部３７及びクロスメンバ１９の当接部４７は、これらに設けられた第２貫通孔（３７ｂ）及び第４貫通孔（３７ｄ）にボルト２６が挿通されることによって固定されている。したがって、この第２貫通孔（３７ｂ）及び第４貫通孔（３７ｄ）に挿通されるボルト２６の位置が、上記第２締結位置である。
【００４１】
したがって、本実施形態に係る軸組構造１０では、補強金具１４は、クロスメンバ１７と共に土台１１及び土台１２に対してそれぞれ上記第１締結位置においてボルト２６とナット２７とによって締結固定されている。また、補強金具１６は、クロスメンバ１９と共に柱１３及び土台１１に対してそれぞれ上記第２締結位置においてボルト２６とナット２７とによって締結固定されている。さらに、補強金具１５は、クロスメンバ１８と共に、土台１２に対しては上記第２締結位置において、柱１３に対しては上記第１締結位置においてボルト２６とナット２７とによって締結固定されている。
【００４２】
なお、上記「第１締結位置」が第１貫通孔（２８ａ、２９ａ、３２ａ、３３ａ、３６ａ、３７ａ）及び第３貫通孔（２８ｃ、２９ｃ、３２ｃ、３３ｃ、３６ｃ、３７ｃ）の位置の「組合わせ」として定義されているのは、２本のボルト２６が採用されているからである。つまり、上記仮想原点に近い位置である「第１締結位置」が第１貫通孔（２８ａ、２９ａ、３２ａ、３３ａ、３６ａ、３７ａ）及び第３貫通孔（２８ｃ、２９ｃ、３２ｃ、３３ｃ、３６ｃ、３７ｃ）の位置の組合わせとして定義されているにすぎず、上記仮想原点から遠い位置である「第２締結位置」が第２貫通孔（２８ｂ、２９ｂ、３２ｂ、３３ｂ、３６ｂ、３７ｂ）及び第４貫通孔（２８ｄ、２９ｄ、３２ｄ、３３ｄ、３６ｄ、３７ｄ）の位置の組合わせとして定義されているにすぎない。したがって、例えば１本のボルト２６のみで締結される場合には、単純に上記仮想原点に近い貫通孔の位置が第１締結位置と定義され、上記仮想原点から遠い貫通孔の位置が第２締結位置と定義される。
【００４３】
本実施形態に係る軸組構造１０では、上記各ボルト２６は、上記各貫通孔（上記第１貫通孔ないし第４貫通孔）に挿通され、図２が示すように、ナット２７によって締め付けられる。これにより、土台１１、土台１２及び柱１３は、補強金具１４、補強金具１５及び補強金具１６が協働することによって十分に補強される。したがって、軸組構造１０の剛性が向上し、その結果、軸組構造１０が採用された木造建築物は、構造物としての剛性が極めて高くなる。
【００４４】
本実施形態では、図２が示すように、土台１１、１２及び柱１３の背面２０〜２３に座金２４、２５が配置されているので、上記ボルト２６は、座金２４、２５を介してナット２７により締め付けられる。したがって、当該軸組構造１０におけるボルト・ナット構造において、ナット２７の適正な締付トルクが維持されるという利点がある。もっとも、この座金２４、２５は、省略されていてもよいことは勿論である。
【００４５】
また、本実施形態では、補強金具１４ないし補強金具１６は、それぞれ、クロスメンバ１７ないしクロスメンバ１９によってさらに補強されている。したがって、互いに直交する土台１１、土台１２及び柱１３は、一層確実な補強が施される。もっとも、このクロスメンバ１７ないしクロスメンバ１９は、省略されていてもよいことは勿論である。
【００４６】
さらに、本実施形態では、上記各クロスメンバ１７〜１９が上記当接部４０、４１、４３、４４、４６、４７を備えており、これらは、上記第１締結位置及び第２締結位置の双方を覆っている。これにより、各クロスメンバ１７〜１９が土台１１、土台１２及び柱１３に配置される際に、各クロスメンバ１７〜１９を上記第１締結位置又は第２締結位置に対して正確に位置合わせする作業が不要となる。つまり、各クロスメンバ１７〜１９は、上記第１締結位置及び第２締結位置のいずれにも容易に位置決め固定され得るという利点がある。
【００４７】
特に、本実施形態では、各クロスメンバ１７〜１９に設けられた斜骨４２、４５、４８は、前述のように４５°の角度で配置されている。したがって、各クロスメンバ１７〜１９は、互いに隣り合う土台１１と土台１２、土台１２と柱１３、柱１３と土台１１とを、それぞれ効果的に補強することができるという利点もある。
【００４８】
加えて、本実施形態では、各補強金具１４〜１６が同一形状に形成され、各クロスメンバ１７〜１９が同一形状に形成されている。したがって、これらが共通の部品として使用されるので、当該軸組構造１０がコスト安価に構成されるという利点もある。
【００４９】
なお、本実施形態では、図１が示すように、補強金具１４が、土台１１及び土台１２に対してそれぞれ第１締結位置で固定され、補強金具１６が、柱１３及び土台１１に対してそれぞれ第２締結位置で固定され、補強金具１５が、土台１２に対しては第２締結位置、柱１３に対しては第１締結位置で固定されているが、補強金具１６が、柱１３に対しては第１締結位置、土台１１に対しては第２締結位置で固定され、補強金具１５が、土台１２及び柱１３に対してそれぞれ第２締結位置で固定されていてもよいことは勿論である。
【００５０】
＜第２の実施形態＞
次に、本発明の第２の実施形態について説明される。図３は、本発明の第２の実施形態に係る軸組構造を示す正面斜視図であり、図４は、背面斜視図である。
【００５１】
本実施形態に係る軸組構造６０が上記第１の実施形態に係る軸組構造１０と異なるところは、
(1) 上記第１実施形態に係る軸組構造１０では、各補強金具１４〜１６及び各クロスメンバ１７〜１９は、それぞれ、４組のボルト２６及びナット２７により土台１１、１２及び柱１３に固定されているのに対し（図１参照）、本実施形態に係る軸組構造６０では、２組のボルト２６及びナット２７により固定されている点、
(2) 上記第１の実施形態に係る軸組構造１０では、ボルト２６は、土台１１、１２及び柱１３の内側から外側へ挿通されているのに対し（図１参照）、本実施形態に係る軸組構造６０では、ボルト２６が外側から内側へ挿通されている点、及び
(3) 上記第１の実施形態に係る軸組構造１０では、クロスメンバ１７〜１９のそれぞれの当接部４０、４１、当接部４３、４４及び当接部４６、４７に、各貫通孔２８ａ〜２８ｄ等に対応する貫通孔が設けられているのに対し（図１参照）、本実施形態に係る軸組構造６０では、クロスメンバ６７〜６９に後述の長孔６７ａ、６７ｂ等が設けられている点である。なお、その他の構成については、上記第１の実施形態に係る軸組構造１０と同様である。
【００５２】
クロスメンバ６７は、上記第１の実施形態に係るクロスメンバ１７〜１９と同様に、一対の当接部７０、７１及び斜骨７２を備えている。クロスメンバ６７は、上記補強金具１４の第１辺部２８と第２辺部２９との間に架け渡されている。当接部７０は上記第１辺部２８に当接され、当接部７１は上記第２辺部２９に当接されている。本実施形態では、上記補強金具１４の第１辺部２８及び第２辺部２９には、それぞれ、貫通孔２８ａ、２８ｂ及び２９ａ、２９ｂのみが設けられている。そして、本実施形態では、上記仮想原点に対して近距離にある貫通孔２８ａ、２９ａが第１貫通孔を構成し、その位置が第１締結位置である。また、上記仮想原点に対して遠距離にある貫通孔２８ｂ、２９ｂが第２貫通孔を構成し、その位置が第２締結位置である。
【００５３】
斜骨７２は、当接部７０及び当接部７１に対して４５°（ｄｅｇｒｅｅ）の角度で配置されている。当接部７０と当接部７１とは同様の形状であり、それぞれ、土台１１及び土台１２の長手方向（仮想Ｘ軸方向、仮想Ｙ軸方向）に沿って延びている。当接部７０は、土台１１の第１締結位置及び第２締結位置の双方を覆っている。また、当接部７１は、土台１２の第１締結位置及び第２締結位置の双方を覆っている。また、当接部７０には、長孔６７ａが設けられ、当接部７１には、長孔６７ｂが設けられている。この長孔６７ａは、当接部７０の長手方向に沿って延びており、上記貫通孔２８ａ、２８ｂの双方と挿通可能となっている。また、長孔６７ｂは、当接部７１の長手方向に沿って延びており、上記貫通孔２９ａ、２９ｂの双方と挿通可能となっている。
【００５４】
ボルト２６は、上記貫通孔２８ａ、２９ａ（すなわち、上記第１締結位置）に挿通されている。このボルト２６は、土台１１、１２の外側から内側に挿通されており、図４が示すように、ボルト２６の頭部が座金２４、２５と当接し、ナット２７がクロスメンバ６７側に掛けられている。
【００５５】
クロスメンバ６８は、上記第１の実施形態に係るクロスメンバ１７〜１９と同様に、一対の当接部７３、７４及び斜骨７５を備えている。クロスメンバ６８は、上記補強金具１５の第１辺部３２と第２辺部３３との間に架け渡されている。当接部７３は上記第１辺部３２に当接され、当接部７４は上記第２辺部３３に当接されている。本実施形態では、上記補強金具１５の第１辺部３２及び第２辺部３３には、それぞれ、貫通孔３２ａ、３２ｂ及び３３ａ、３３ｂのみが設けられている。そして、本実施形態では、上記仮想原点に対して近距離にある貫通孔３２ａ、３３ａが第１貫通孔を構成し、その位置が第１締結位置である。また、上記仮想原点に対して遠距離にある貫通孔３２ｂ、３３ｂが第２貫通孔を構成し、その位置が第２締結位置である。
【００５６】
斜骨７５は、当接部７３及び当接部７４に対して４５°（ｄｅｇｒｅｅ）の角度で配置されている。当接部７３と当接部７４とは同様の形状であり、それぞれ、土台１２及び柱１３の長手方向（仮想Ｙ軸方向、仮想Ｚ軸方向）に沿って延びている。当接部７３は、土台１２の第１締結位置及び第２締結位置の双方を覆っている。また、当接部７４は、柱１３の第１締結位置及び第２締結位置の双方を覆っている。また、当接部７３には、長孔６８ａが設けられ、当接部７４には、長孔６８ｂが設けられている。この長孔６８ａは、当接部７３の長手方向に沿って延びており、上記貫通孔３２ａ、３２ｂの双方と挿通可能となっている。また、長孔６８ｂは、当接部７４の長手方向に沿って延びており、上記貫通孔３３ａ、３３ｂの双方と挿通可能となっている。
【００５７】
ボルト２６は、上記貫通孔３２ｂ（すなわち、上記第２締結位置）及び上記貫通孔３３ａ（すなわち、上記第１締結位置）に挿通されている。このボルト２６は、土台１２、柱１３の外側から内側に挿通されており、図４が示すように、ボルト２６の頭部が座金２４、２５と当接し、ナット２７がクロスメンバ６８側に掛けられている。
【００５８】
クロスメンバ６９は、上記第１の実施形態に係るクロスメンバ１７〜１９と同様に、一対の当接部７６、７７及び斜骨７８を備えている。クロスメンバ６９は、上記補強金具１６の第１辺部３６と第２辺部３７との間に架け渡されている。当接部７６は上記第１辺部３６に当接され、当接部７７は上記第２辺部３７に当接されている。本実施形態では、上記補強金具１５の第１辺部３６及び第２辺部３７には、それぞれ、貫通孔３６ａ、３６ｂ及び３７ａ、３７ｂのみが設けられている。そして、本実施形態では、上記仮想原点に対して近距離にある貫通孔３６ａ、３７ａが第１貫通孔を構成し、その位置が第１締結位置である。また、上記仮想原点に対して遠距離にある貫通孔３６ｂ、３７ｂが第２貫通孔を構成し、その位置が第２締結位置である。
【００５９】
斜骨７８は、当接部７６及び当接部７７に対して４５°（ｄｅｇｒｅｅ）の角度で配置されている。当接部７６と当接部７７とは同様の形状であり、それぞれ、柱１３及び土台１１の長手方向（仮想Ｚ軸方向、仮想Ｘ軸方向）に沿って延びている。当接部７６は、柱１３の第１締結位置及び第２締結位置の双方を覆っている。また、当接部７７は、土台１１の第１締結位置及び第２締結位置の双方を覆っている。当接部７６には、長孔６９ａが設けられ、当接部７７には、長孔６９ｂが設けられている。この長孔６９ａは、当接部７６の長手方向に沿って延びており、上記貫通孔３６ａ、３６ｂの双方と挿通可能となっている。また、長孔６９ｂは、当接部７７の長手方向に沿って延びており、上記貫通孔３７ａ、３７ｂの双方と挿通可能となっている。
【００６０】
ボルト２６は、上記貫通孔３６ｂ、３７ｂ（すなわち、上記第２締結位置）に挿通されている。このボルト２６は、柱１３、土台１１の外側から内側に挿通されており、図４が示すように、ボルト２６の頭部が座金２４、２５と当接し、ナット２７がクロスメンバ６９側に掛けられている。
【００６１】
本実施形態に係る軸組構造６０では、上記第１の実施形態に係る軸組構造１０と同様の作用効果を奏するうえに、特にクロスメンバ６７〜６９の構造が簡単になるので、当該軸組構造６０の製造コストが一層低減される。しかも、ボルト２６は、クロスメンバ６７〜６９に設けられた長孔６７ａ、６７ｂ、６８ａ、６８ｂ、６９ａ、６９ｂに挿通されるので、クロスメンバ６７〜６９の位置合わせ作業が容易になるという利点がある。加えて、ボルト２６が土台１１、１２及び柱１３の外側から内側に向かって挿通されるから、ナット２７を掛けて締め付ける作業が容易になるという利点もある。
【００６２】
次に、本実施形態の変形例について説明される。図５は、本実施形態の変形例に係る軸組構造６０の要部拡大斜視図である。同図では、柱１３に対する座金２４、２５の取付構造が詳細に図示されている。
【００６３】
この変形例に係る軸組構造８０が上記軸組構造６０と異なるところは、座金２４、２５の表面８１にボルト保持部８２が設けられている点、及び上記軸組構造６０では、ボルト２６の頭部の形状は特に限定されていないのに対し、本変形例では、ボルト２６は、頭部が六角形のものが採用されている点である。なお、その他の構成については、上記第２の実施形態と同様である。
【００６４】
ボルト保持部８２は、六角形の凹部として構成されている。この凹部は、座金２４、２５をいわゆる絞り加工することによって構成されている。ボルト保持部８２の形状は、ボルト２６の頭部の形状に対応されている。なお、このボルト保持部８２に連通して、ボルト２６が挿通される貫通孔８３が設けられている。
【００６５】
このようにボルト保持部８２が設けられることによって、図５が示すように、ボルト２６が挿通されたときには、ボルト２６の頭部が上記ボルト保持部８２に嵌め込まれる。つまり、ボルト２６の回止めがなされる。したがって、ナット２７を締め付ける作業において、ボルト２６の共回りが防止され、ナット２７を締め付ける作業が容易になる。
【００６６】
なお、上記各実施形態及び上記変形例では、軸組構造１０（６０、８０）が土台１１、１２及び柱１３を備えているが、本発明は、かかる構造の軸組にのみ適用されるものではなく、柱及びこれに連結される梁を備えた軸組にも適用され得ることは勿論である。すなわち、本発明は、上記仮想Ｘ軸、仮想Ｙ軸及び仮想Ｚ軸に沿って配置される部材を備える軸組に適用され得る。例えば、図１において、土台１１、１２がそれぞれ柱１３に連結された梁（１１）及び梁（１２）として構成された軸組にも本発明が適用される。その場合、梁（１１）及び梁（１２）の背面側にも座金２４（２５）が取り付けられ得ることは勿論である。
【産業上の利用可能性】
【００６７】
本発明は、木造建築物等の軸組に適用され得る。
【図面の簡単な説明】
【００６８】
【図１】図１は、本発明の第１の実施形態に係る軸組構造を示す正面斜視図である。
【図２】図２は、本発明の第１の実施形態に係る軸組構造を示す背面斜視図である。
【図３】図３は、本発明の第２の実施形態に係る軸組構造を示す正面斜視図である。
【図４】図４は、本発明の第２の実施形態に係る軸組構造を示す背面斜視図である。
【図５】図５は、本発明の第２の実施形態の変形例に係る軸組構造の要部拡大斜視図である。
【図６】図６は、従来の一般的な軸組の要部を示す斜視図である。
【符号の説明】
【００６９】
１０・・・軸組構造
１１・・・土台
１２・・・土台
１３・・・柱
１４〜１６・・・補強金具
１７〜１９・・・クロスメンバ
２０〜２３・・・背面
２４・・・座金
２５・・・座金
２６・・・ボルト
２７・・・ナット
２８・・・第１辺部
２８ａ・・・第１貫通孔
２８ｂ・・・第２貫通孔
２８ｃ・・・第３貫通孔
２８ｄ・・・第４貫通孔
２９・・・第２辺部
２９ａ・・・第１貫通孔
２９ｂ・・・第２貫通孔
２９ｃ・・・第３貫通孔
２９ｄ・・・第４貫通孔
３０・・・内面
３１・・・内面
３２・・・第１辺部
３２ａ・・・第１貫通孔
３２ｂ・・・第２貫通孔
３２ｃ・・・第３貫通孔
３２ｄ・・・第４貫通孔
３３・・・第２辺部
３３ａ・・・第１貫通孔
３３ｂ・・・第２貫通孔
３３ｃ・・・第３貫通孔
３３ｄ・・・第４貫通孔
３４・・・上面
３５・・・側面
３６・・・第１辺部
３６ａ・・・第１貫通孔
３６ｂ・・・第２貫通孔
３６ｃ・・・第３貫通孔
３６ｄ・・・第４貫通孔
３７・・・第２辺部
３７ａ・・・第１貫通孔
３７ｂ・・・第２貫通孔
３７ｃ・・・第３貫通孔
３７ｄ・・・第４貫通孔
３８・・・側面
３９・・・上面
４０・・・当接部
４１・・・当接部
４２・・・斜骨
４３・・・当接部
４４・・・当接部
４５・・・斜骨
４６・・・当接部
４７・・・当接部
４８・・・斜骨
６０・・・軸組構造
６７・・・クロスメンバ
６７ａ・・・長孔
６７ｂ・・・長孔
６８・・・クロスメンバ
６８ａ・・・長孔
６８ｂ・・・長孔
６９・・・クロスメンバ
６９ａ・・・長孔
６９ｂ・・・長孔
７０・・・当接部
７１・・・当接部
７２・・・斜骨
７３・・・当接部
７４・・・当接部
７５・・・斜骨
７６・・・当接部
７７・・・当接部
７８・・・斜骨
８０・・・軸組構造
８１・・・表面
８２・・・ボルト保持部
８３・・・貫通孔
【図１】
2005350999.tif 000003
【図２】
2005350999.tif 000004
【図３】
2005350999.tif 000005
【図４】
2005350999.tif 000006
【図５】
2005350999.tif 000007
【図６】
2005350999.tif 000008